(57)【要約】【課題】炭自身が有している効果以上の健康増進効果を期待することができる健康増進組成物と、不織布や織布などシートの種類にこだわることなく前記健康増進組成物が表面に接着されているシートを提供することを目的とする。【解決手段】炭粉末と、粘土と、木酢液とを含んでなる健康増進組成物が、バインダー樹脂を介してシートの表面部分に接着されてなることを特徴とする構成とした。【選択図】　　　図１
2004141827.tif 000002
【特許請求の範囲】
【請求項１】
炭粉末と、粘土と、木酢液とを含んでなる健康増進組成物。
【請求項２】
炭粉末が紀州備長炭である請求項１に記載の健康増進組成物。
【請求項３】
請求項１または請求項２に記載の健康増進組成物が、バインダー樹脂を介して表面部分に接着されてなることを特徴とするシート。
【発明の詳細な説明】
【０００１】
【発明の属する技術分野】
本発明は、健康増進組成物およびシートに関し、詳しくは、備長炭が有する健康増進効果を効率良く発揮させることのできる健康増進組成物およびこの健康増進組成物を接着してなるシートに関する。
【０００２】
【従来の技術】
近年、健康に対する意識の高まりとともに、様々な健康増進効果を図るための商品が提案されている。
特に、木炭は、この木炭自身が有する調湿機能、消臭機能、遠赤外線放射機能などを備えていることから、健康増進効果を図るための商品に利用されている。
【０００３】
たとえば、特開２０００−３３６５９１号公報には、繊維材料を抄造して得られるシートであって、基材となる繊維材料と、活性化木炭の粉末と、フィブリル化アクリル繊維とを備えている活性化木炭担持シートが提案されている。
また、特開平１０−５７６４６号公報には、炭素繊維を取り入れた布団が提案されている。
【０００４】
【発明が解決しようとする課題】
しかし、特開２０００−３３６５９１号公報に提案されている活性化木炭担持シートは、不織布や紙などのように繊維材料を抄造して得られるシートにしか使用することができず、しかも、シートへの木炭の担持が、木炭粉末をフィブリル化アクリル繊維に捕捉させることで行っているため、担持力が弱く、例えば、シートを洗濯するなどした場合に木炭粉末が剥がれてしまうおそれがある。
【０００５】
また、特開平１０−５７６４６号公報に提案されている炭素繊維を取り入れた布団は、炭そのものを使用するのではなく、短尺で多孔質の炭素繊維で形成された薄布状の炭素繊維を層状に複数枚重ねた炭素繊維層を表裏から不織布で挟んだものを布団の中に入れるようにしているため、非常に加工に手間がかかり、コストも高くついてしまうという問題がある。
さらに、上述した活性化木炭担持シート、炭素繊維を取り入れた布団は、炭自身が有している健康増進効果以上の効果を期待することができない。
【０００６】
そこで、本発明は、上記問題点に鑑みてなされ、炭自身が有している効果以上の健康増進効果を期待することができる健康増進組成物と、不織布や織布などシートの種類にこだわることなく前記健康増進組成物が表面に接着されているシートを提供することを目的としている。
【０００７】
【課題を解決するための手段】
このような目的を達成するために、本発明の請求項１にかかる健康増進組成物（以下、「請求項１の組成物」と記す。）は、炭粉末と、粘土と、木酢液とを含んでなる構成とした。
【０００８】
上記構成において、炭粉末としては、木炭や竹炭などが挙げられるが、健康増進効果に優れている備長炭を使用することが好ましく、本発明の請求項２にかかる健康増進組成物（以下、「請求項２の組成物」と記す。）のように紀州備長炭を使用することがより好ましい。
また、紀州備長炭を製造する窯は、一般に用いられているセメント製の窯や耐火レンガ製の窯などを使用してもよいが、土窯を使用して製造すると、時間をかけて質の高い紀州備長炭を製造することができるので好ましい。
【０００９】
また、炭粉末の大きさとしては、平均粒子径が、１μｍ以上１０μｍ以下であることが好ましく、特に平均粒子径が２μｍ前後であることがより好ましい。
すなわち、炭粉末の平均粒子径を１μｍよりも小さくすることは技術的に困難であり、１０μｍよりも大きくすると、シート表面へ確実に塗布することが困難となり剥がれてしまうおそれが生じる。
【００１０】
また、粘土としては、特に限定されないが、たとえば、ベントナイト類などが代表的なものとして挙げられる。また、この粘土を炭粉末および木酢液と混合させるときは、乾燥粉末の形で混合させるようにすると、より容易に混合を行うことができるため好ましい。
【００１１】
また、木酢液とは、木炭や竹炭を製炭するときに窯から出る煙を冷やしたものをいい、入浴剤、植物を育てる際の栄養補助剤、土壌改良剤、害虫や動物の忌避剤などとして使用されているものをいう。
また、本発明の請求項３にかかるシート（以下、「請求項３のシート」と記す。）は、請求項１の組成物または請求項２の組成物が、バインダー樹脂を介して表面部分に接着されてなることを特徴とする構成とした。
上記構成において、シートとしては、特に限定されず、たとえば、不織布、織布、紙、あるいは合成皮革などどのような形状をしていても良いが、特に綿や麻などの天然繊維を使用することが好ましい。
【００１２】
バインダー樹脂としては、特に限定されないが、たとえば、アクリル系樹脂やウレタン系樹脂などの水性樹脂接着剤などが挙げられる。
このバインダー樹脂を介して、混合物をシートの表面に接着する方法としては、特に限定されないが、たとえば、前記混合物とバインダー樹脂（接着剤）とを混合させてなる被塗布物を所定量、シートの表面にあてがい、所定の熱と圧力をかけることで接着剤を溶解させて混合物をシートの表面に接着することなどが挙げられる。
【００１３】
バインダー樹脂を介して、シートの表面に接着されている混合物における炭粉末と、粘土と、木酢液との混合割合としては、特に限定されないが、バインダー樹脂を含めた全体に対して、炭粉末が１０〜２０重量％、粘土が５重量％前後、木酢液が５重量％前後であることが好ましい。
【００１４】
すなわち、炭粉末の配合比が、上記範囲を下回ると炭の有する効果を十分に発揮させることができないおそれが生じ、上記範囲を上回ると、シート表面への接着力が弱くなってしまうおそれが生じる。
【００１５】
以上のような構成をしているシートは、どのように使用してもよく、特に限定されないが、たとえば、敷布団とシーツとの間に挟んで使用したり、タペストリーとして室内の壁に貼り付けて使用したりすることなどが挙げられる。
勿論、シート以外であっても、たとえば、トランクスなどの下着やＴシャツ、腹巻など衣類関係に健康増進組成物を接着させるようにしても良い。
【００１６】
【発明の実施の形態】
以下に、本発明の実施の形態を、図面を参照しつつ詳しく説明する。
図１は、本発明にかかる健康増進組成物を接着したシートの一実施の形態を示した斜視図である。
シート１は、図１に示したように、シート本体２の表面に、複数の健康増進組成物３が接着されている。
【００１７】
シート本体２は、図示していないが木綿製であり、幅９０ｃｍ、長さ１８０ｃｍの大きさに形成されている。
健康増進組成物３は、直径１〜１０ｍｍの大きさをしており、シート本体２の表面に所定間隔で確りと接着されている。
健康増進組成物３は、シート本体２全体の２０〜８０％程度を占めるようになっている。
【００１８】
健康増進組成物３は、平均粒径が約２μｍの紀州備長炭粉末と、粘土としての乾燥ベントナイト粉末と、木酢液とを含み、これらに樹脂バインダーとしてのアクリル系樹脂接着剤を介在させることでシート本体２に接着可能となっている。健康増進組成物３は、紀州備長炭粉末が１０〜２０重量％、粘土としての乾燥ベントナイト粉末が５〜１０重量％、木酢液が２〜５重量％、残りが樹脂バインダーとしてのアクリル系樹脂接着剤となるように配合されている。なお、このときアクリル系樹脂接着剤を発泡させるようにしておく。
【００１９】
以上のような構成をしている健康増進組成物３は、シート本体２の表面の接着希望部分にあてがい、１００℃〜２００℃の温度条件のもと１０〜１５秒間所定圧力でプレスすることでシート本体２に接着させる。
【００２０】
以上のような構成をしているシート１は、たとえば、敷布団とシーツとの間に敷くようにして使用し、汚れた場合は他の洗濯物と同様に洗濯する。
このとき、シート１に接着している健康増進組成物３は、アクリル系樹脂接着剤により強固に接着されているため、少々使用したり、洗濯したりしたくらいでは剥がれたりしない。
【００２１】
また、アクリル系樹脂接着剤は、発泡状態にあるため、内部に連続気泡が存在することで、健康増進組成物３中の紀州備長炭粉末、ベントナイト粉末、木酢液とを混合させた混合物が外気に直接さらされる状態となり、健康増進組成物３としての効能を効率良く発揮させることが可能となる。
【００２２】
以上のように製造されたシート１は、紀州備長炭と、ベントナイト粉末と、木酢液とがバランスよく配合された健康増進組成物が接着されてなるため、炭のみを使用した従来の健康増進シートでは得られなかった効果を有する。
すなわち、シート１は、健康増進組成物３から体に良いとされる周波数の波動が発信されることにより、たとえば、敷布団とシーツとの間に敷いた状態で眠ると精神状態が安定して寝つきや目覚めを良くするという効果を有する。また、遠赤外線効果により体が温まり、寝冷えなどを防ぐとともに冷え性を改善するという効果も有する。さらに、埃などの不快原因物質を炭が吸着することにより、部屋全体を快適な状態にするという効果も有する。
【００２３】
なお、本発明にかかる健康増進組成物は、上述した実施の形態に限定されない。
上記実施の形態では、健康増進組成物は、シート本体に接着させて健康増進用のシートとして用いられていたが、これに代えて、たとえば、健康増進用組成物を用いて模様や絵を描くようにしたタペストリーやカレンダーなどの材料として用いるようにしてもよい。この場合、部屋の壁に飾ることで、室内の空気を浄化して快適な空間が作り出されるようになる。
【００２４】
【実施例】
以下に本発明の実施例について説明する。
（実施例１）
１００ｇ当たり平均粒径２μｍの紀州備長炭粉末（うばの木を土窯で炭化したもの）が１５ｇ、乾燥ベントナイト粉末が８ｇ、木酢液（原液）が２ｇ、アクリル系樹脂接着剤が７５ｇの割合で混合させた健康増進組成物を、直径５ｍｍの円形状をした状態で、２０ｍｍ間隔で木綿製のシート本体（９０×１８０ｃｍ）に接着することで健康増進用のシートを得た。
【００２５】
（比較例１）
乾燥ベントナイト粉末および木酢液を用いず、アクリル系樹脂接着剤を８５ｇの割合で混合させたことを除いて、請求項１と同様の操作を行い健康増進用のシートを得た。
【００２６】
就寝時、実施例１および比較例１のそれぞれのシートを敷布団とシーツとの間に敷いて１ヶ月間様子をみて、このような健康シートを使用していないときと比較して、体調にどのような変化が現れるかを試したところ、実施例１のシートを使用した場合のみ、寝つきおよび目覚めが良くなり熟睡することができるようになった。
これに対して、比較例１は、気分的には多少快適なようにも感じられるが、効果を実感するまでには至らなかった。
【００２７】
また、夜中にトイレに起きる回数が実施例１のシートを用いた場合多くても一回であったのに対して、比較例１のシートを用いた場合では２〜３回トイレに起きることもあった。
さらに、実施例１のシートを使用したときは、頚椎からくる肩こり、腰痛が解消された。これも比較例１のシートを使用したときには感じられなかったことである。
加えて、実施例１のシートは、乳幼児に使用した場合、夜鳴きの回数が激減した。
【００２８】
上述した効果があまりにも大きかったことから、これらの原因を調べるため、実施例１のシートに用いられた健康増進組成物と、比較例１のシートに用いられた紀州備長炭とのそれじれから発信している波動周波数の測定を行ってみた。
測定は、ドイツＲＡＹＯＮＥＸ社製のレヨメーター・デジタルを用いて行った。
結果は、比較例１の紀州備長炭からは、健康に良いとされる低い周波数が発信されていたが、実施例１の健康増進組成物からは、比較例１よりも低い周波数（より体に良いとされる周波数）が発信されることを確認することができた。
【００２９】
【発明の効果】
以上のことより、本発明にかかる請求項１の組成物は、通常の炭よりも優れた健康増進効果を発揮することができる。
また、請求項２の組成物は、請求項１の組成物の効果に加えて、より高い効果を期待することができる。
さらに、請求項３のシートは、請求項１または請求項２の組成物を不織布、織布など種類を問わずシート表面に安定した状態で接着しているため、洗濯可能であり取り扱いも容易に行うことが可能となる。
【図面の簡単な説明】
【図１】本発明にかかるシートの一つの実施形態を示した斜視図である。
【符号の説明】
１　　　　シート
２　　　　シート本体
３　　　　健康増進用組成物
【図１】
2004141827.tif 000003